(57)【要約】【課題】太陽電池パネルにかかる積雪による負荷を低減させることができ、また、雪止め部材の取り付け状態も長期間にわたって安定である太陽電池パネルの雪止め構造を提供する。【解決手段】本発明の太陽電池パネルの雪止め構造は、屋根下地３０に固定された複数の台座３と、屋根の軒棟方向と直交する方向に凸条部１１と平板部１２とが交互に形成された屋根材１０と、この屋根材１０に載置される太陽電池パネル２０と、雪止め部材１とを備える。屋根材１０は凸条部１１で台座３を覆うように屋根下地３０に敷設される。雪止め部材１は屋根材１０を介在させて台座３に固定具５により連結されている。雪止め部材１の頂部が太陽電池パネルの頂面２０ａよりも上方に突出して設けられている。【選択図】図１
2014047461.tif 000002
【特許請求の範囲】
【請求項１】
屋根下地に固定された複数の台座と、屋根の軒棟方向と直交する方向に凸条部と平板部とが交互に形成された屋根材と、この屋根材に載置される太陽電池パネルと、雪止め部材とを備え、
前記屋根材は前記凸条部で前記台座を覆うように前記屋根下地に敷設されており、
前記雪止め部材は前記屋根材を介在させて前記台座に固定具により連結されていると共に前記雪止め部材の頂部が前記太陽電池パネルの頂面よりも上方に突出して設けられていることを特徴とする太陽電池パネルの雪止め構造。
【請求項２】
前記太陽電池パネルは、前記屋根材を介在させて前記複数の台座に固定具により連結されて設置されていることを特徴とする請求項１に記載の太陽電池パネルの雪止め構造。
【発明の詳細な説明】
【技術分野】
【０００１】
本発明は、住宅等の建物の屋根に設置される太陽電池パネルの雪止め構造に関する。
【背景技術】
【０００２】
従来、電気エネルギーを得る手段の１つとして太陽電池パネル（ＰＶパネルともいう）が知られている。このＰＶパネルは、太陽エネルギーを受け易い場所に設置されることが多く、例えば、住宅やビル等の建物の屋根の上に設置させることが一般的である。
【０００３】
ＰＶパネルを屋根上に設置させるにあたっては、それぞれの地域に対応した施工が行われている。例えば、多雪地域においては、ＰＶパネル上に積もった雪がＰＶパネル表面から滑落するのを防止するために、雪止め金具等をＰＶパネルに取り付ける施工が行われることが一般的である。ＰＶパネル表面に積もった雪が滑落してしまうと、滑落した雪が歩行者や車等に衝突したり、あるいは、滑落した雪が隣家の敷地内にまで飛び込んだりすることがあるからである。雪止め金具を有するＰＶパネルの具体例としては、受光部（太陽電池モジュール）と、この受光部を支持する枠体から構成されるＰＶパネルにおいて、このＰＶパネルの枠体に直接雪止め金具を取り付けるようにした雪止め構造が提案されている（例えば、特許文献１等を参照）。
【先行技術文献】
【特許文献】
【０００４】
【特許文献１】特開平８−１３７２５号公報
【発明の概要】
【発明が解決しようとする課題】
【０００５】
しかしながら、従来のような太陽電池パネルの雪止め構造では、屋根面に設置されるＰＶパネルそのものに雪止め金具を設けているため、積雪によってＰＶパネルにかかる荷重が低減されにくいものであった。そのため、ＰＶパネルに負荷がかかりやすいものであり、ＰＶパネルの故障の原因となるおそれがあるものであった。また、雪止め金具自体も安定に固定されているとは言い難いものであった。
【０００６】
本発明は上記の点に鑑みてなされたものであり、太陽電池パネルにかかる積雪による負荷を低減させることができ、また、雪止め部材の取り付け状態も長期間にわたって安定である太陽電池パネルの雪止め構造を提供することを目的とするものである。
【課題を解決するための手段】
【０００７】
本発明に係る太陽電池パネルの雪止め構造は、屋根下地に固定された複数の台座と、屋根の軒棟方向と直交する方向に凸条部と平板部とが交互に形成された屋根材と、この屋根材に載置される太陽電池パネルと、雪止め部材とを備え、前記屋根材は前記凸条部で前記台座を覆うように前記屋根下地に敷設されており、前記雪止め部材は前記屋根材を介在させて前記台座に固定具により連結されていると共に前記雪止め部材の頂部が前記太陽電池パネルの頂面よりも上方に突出して設けられていることを特徴とする。
【０００８】
また、前記太陽電池パネルは、前記屋根材を介在させて前記複数の台座に固定具により連結されて設置されていることが好ましい。
【発明の効果】
【０００９】
本発明の太陽電池パネルの雪止め構造によれば、太陽電池パネルにかかる積雪による負荷を低減させることができ、また、雪止め部材の取り付け状態も長期間にわたって安定となる。
【図面の簡単な説明】
【００１０】
【図１】本発明の太陽電池パネルの雪止め構造の実施の形態の一例を示し、（ａ）はその斜視図、（ｂ）は（ａ）におけるａ−ａ断面図であって、太陽電池パネルの軒先側付近の拡大図、（ｃ）は屋根の軒先側からの正面図であって、雪止め部材付近の拡大図である。
【図２】本発明の太陽電池パネルの雪止め構造に使用される雪止め部材の一例を示す斜視図である。
【図３】本発明の太陽電池パネルの雪止め構造を有する屋根の実施の形態の一例を示し、その断面の一部の拡大図である。
【図４】同上の屋根の断面の一部の拡大図である。
【図５】同上の他の実施の形態の一例を示し、屋根の軒先部の断面図である。
【図６】本発明の太陽電池パネルの雪止め構造を有する屋根の施工例を示し、（ａ）及び（ｂ）はその施工途中を説明する概略図である。
【発明を実施するための形態】
【００１１】
以下、本発明を実施するための形態を説明する。
【００１２】
図１（ａ）〜（ｃ）に示すように本発明の太陽電池パネルの雪止め構造は、少なくとも、屋根下地３０に固定された複数の台座３、３、・・・と、屋根材１０と、この屋根材１０に載置される太陽電池パネル２０と、雪止め部材１とを備える。
【００１３】
図１（ａ）は、本発明の太陽電池パネルの雪止め構造を有して形成される屋根の一部を示す斜視図を示しており、図中のブロック矢印の方向は、屋根の軒側から棟側へ向かう方向を示している。尚、屋根の軒棟方向とは屋根の傾斜方向（水流れ方向）と同じ方向を示す。図１（ｂ）は、図１（ａ）におけるａ−ａ断面図であって、太陽電池パネル２０の軒側の端部付近の拡大図である。また、図１（ｃ）は、屋根の軒側からの正面図を示す。以下、図１の実施形態により本発明の太陽電池パネルの雪止め構造を詳述する。
【００１４】
屋根下地３０としては、例えば、母屋材の上に野地板を敷設させたものや、桟木、防水シート、野地板、垂木等で構成される下地材を使用することができる。屋根下地３０には、必要に応じて防水シートが敷かれていてもよい
台座３は、屋根下地３０上に固定される。台座３の形状は特に限定されるものではないが、例えば、断面略ハット状に形成させることができる（図１（ｂ）及び図１（ｃ）を参照）。このように形成される台座３は、断面略倒コ字状又は断面略逆Ｕ字状に形成された台部３ａと、この台部３ａの両下端からそれぞれ外方に延在する平板状の支持部３ｂ、３ｂを有してなる。そして、平板状の支持部３ｂ、３ｂは、その延在する方向が軒棟方向に沿うように屋根下地３０上に載置されていると共に、台部３ａが上方に突出するように台座３が配置されている。台部３ａは、台部３ａ頂面の側端部から下方へ略垂直に屈曲加工されて、一対の補強片３５が形成されていることが好ましく、この場合、剛性が向上するので台座３の変形を防止することができる。台座３は、例えば、金属板を屈曲加工するなどして形成させることができる。もちろん、台座３は、上記のような断面略ハット状以外にも、例えば、直方体、立方体のような四角柱のようなものも用いても構わない。しかし、屋根下地３０への取り付け状態が安定すると共に、重量が大きくなり過ぎないという点では、断面略ハット状の台座３を使用することが好ましい。
【００１５】
台座３は、ビスやネジ等で屋根下地３０に固定させることができる。例えば、図１の実施形態のような断面略ハット状の台座３であれば、一対の支持部３ｂ、３ｂにビスやネジ等を打入して、この支持部３ｂ、３ｂ及び屋根下地３０を貫通させればよい。尚、図１には示されていないが、台座３は、軒棟方向に沿って所定の間隔をおきながら、複数設けることができる。
【００１６】
屋根材１０は、屋根下地３０に敷設されるものであって、図１（ａ）に示すように、屋根の軒棟方向と直交する方向に凸条部１１と平板部１２とが交互に繰り返し形成されている。
【００１７】
凸条部１１は、金属板が屈曲加工されて上方（屋根下地３０と逆方向）に突出するように形成される。凸条部１１は、例えば、金属屋根材１０の略全長にわたって形成されていればよい。凸条部１１の側面は傾斜面として形成されていてもよい。すなわち、凸条部１１は、その頂面側端から平板部１２へ下り傾斜するように形成されていてもよい。もちろん、凸条部１１の頂面側端から平板部１２へ垂下するように形成されていてもよい。尚、本明細書においては、凸条部１１の延伸方向を「屋根材１０の縦方向」といい、また、屋根材１０の面において、前記縦方向と直交する方向を「金属屋根材１０の横方向」ということがある。上記縦方向と、軒棟方向とは同じ方向である。
【００１８】
屋根材１０において、複数の凸条部１１は、それぞれ互いに略平行に配列している。また、隣り合う凸条部１１、１１との間に形成されている平板部１２は、略平坦状であって、屋根材１０の縦方向の略全長にわたって形成されている。
【００１９】
図１に示すように、屋根材１０は、凸条部１１で台座３を覆うように敷設される。すなわち、図１（ｃ）に示されているように、凸条部１１の頂面（凸条部頂面１１ａ）の裏面側と台部３ａの頂面とが互いに上下に重なるように屋根材１０が敷設される。尚、台座３の配置数や配置間隔にもよるので、屋根材１０には台座３を覆わない凸条部１１が存在することもある。
【００２０】
屋根材１０は、通常は屋根下地３０に複数敷設されるものであり、具体的には、隣接する屋根材１０どうしの一部を互いに上下に重ね合わせながら敷設されるものである。例えば、軒棟方向と直交する方向で隣接する屋根材１０、１０どうしは、一方の屋根材１０の側端の凸条部１１と、他方の屋根材１０の側端の凸条部１１とを互いに上下に重ね合わせて敷設されていてもよい。このように隣接する屋根材１０どうしが重ね合わせて敷設されると、屋根下地３０上に安定に屋根材１０が敷設されると共に、高い防水性も確保できることになる。屋根材１０は屋根下地３０の略全面にわたって敷き詰められていてもよいし、屋根下地３０の一部のみ（例えば、周端付近を余して中央部）に敷設されるものであってもよい。要するに、少なくとも太陽電池パネル２０が載置される領域に屋根材１０が敷設されていればよい。尚、屋根材１０は、例えば、ビスやネジ等を使用することによって、屋根下地３０に固定することができる。
【００２１】
屋根材１０は、例えば、公知のロール成形機で製造することができる他、ベンダー加工機で製造してもよく、また、端部加工はヘミング曲げ加工及びプレス加工を使用してもよい。屋根材１０の縦横の寸法は、屋根下地３０の面積等にあわせて適宜設定すればよく、例えば、縦方向の長さが１０００〜２５００ｍｍ、横方向は３００〜１１００ｍｍとすることができる。
【００２２】
上記のように敷設された屋根材１０の上面には、複数の凸条部１１を架け渡すように太陽電池パネル２０が載置される。本実施形態では、太陽電池パネル２０は、平面視略矩形状の複数のパネルユニット２が軒棟方向及びこれと直交する方向に互いに接続されて形成されてなるものである。本形態では、４つのパネルユニット２が軒棟方向及びこれと直交する方向に互いに隣接しつつ、接続されて一つの太陽電池パネル２０をなしている。もちろん本発明では、パネルユニット２を接続させる数は本実施の形態に限定されるものではない。太陽電池パネル２０の頂面（パネル頂面２０ａということもある）は、略平坦面として形成される。また、各パネルユニット２としては、公知のように太陽光の受光部（太陽電池モジュール）と、この周囲を覆う枠体（補強部材）とで構成されるものを使用することができる。パネルユニット２を構成している枠体は、その周縁が下方へ略垂直に屈曲されて立ち下がっていることで、底面のない箱状に形成されている。パネルユニット２の屋根材１０への取り付け固定は、上記枠体と屋根材１０とをネジ等の連結部材で連結させるようにすることができ、また、後述するように（図４参照）、支持部材２５を用いて固定するようにしてもよい。
【００２３】
雪止め部材１は、屋根材１０に固定されて設けられるものである。ここで、雪止め部材１の形状等について詳述する。
【００２４】
図２は、本発明で使用できる雪止め部材１の一例を示すものである。
雪止め部材１は、略平坦状の雪止め本体１ａと、この雪止め本体１ａの下端部の略中央付近から雪止め本体１ａの面に対して垂直方向に突出する略平坦状の固定片１ｂとを有することで、略Ｌ字状に形成されている。また、固定片１ｂの略中央付近には、ネジやビス等を打入するための固定具穴１ｅが形成されている。雪止め本体１ａの平面形状は特に限定されるものではなく、例えば略矩形状に形成されていればよい。尚、以下では、固定片１ｂの面に対する垂直方向のことを「雪止め部材１の縦方向」という。
【００２５】
雪止め部材１には、さらに略平板状の支持片１ｃが形成されていてもよい。図２に示すように、支持片１ｃは、略平板状に形成されたものであり、雪止め本体１ａの一方の面における略中央付近から、固定片１ｂの突出方向とは逆方向に突出するように設けられている。そして、支持片１ｃは、その面が固定片１ｂの面と直交するように設けられている。また、支持片１ｃは、雪止め本体１ａの縦方向の略全長にわたって形成され、支持片１ｃの平面形状は、特に限定されるものではないが、図２の形態のように台形状であってもよいし、長方形や三角形等の形状であってもよい。台形状の場合は、台形の１対の平行な辺のうちの長い方の辺が雪止め本体１ａ上に当接するように支持片１ｃが形成されていればよい。尚、本発明で使用される雪止め部材１としては、上記のような形態に限定されるものではなく、その他の形態を有するものであってもよいし、市販されている雪止め金具等を使用してもよい。また、雪止め部材１は、図２のようなピース状（短尺状）の部品であってもよいし、あるいは、雪止め本体１ａが横方向に長尺に形成された部品であってもよい。
【００２６】
図１（ａ）に示すように、雪止め部材１は、少なくとも太陽電池パネル２０の軒先側の端部（パネル軒先端部２１）に沿うように設けられるものであり、また、雪止め本体１ａの面が軒棟方向を向くように配置される。固定片１ｂは、太陽電池パネル２０の下側であって、屋根材１０を介して台座３と上下で対向するように、屋根材１０の凸条部１１上に配置される（図１（ｂ）参照）。また、雪止め本体１ａは、パネル軒先端部２１と対向して配置されると共に、屋根面に対して雪止め本体１ａが直立するように配置される。図１に示すように、雪止め部材１の頂部１ｆは、パネル頂面２０ａよりも上方に突出する。雪止め本体１ａと太陽電池パネル２０のパネル軒先端部２１とは接触していてもよいし、雪止め本体１ａと太陽電池パネル２０とが離間していてもよい。離間している場合は雪止め本体１ａと太陽電池パネル２０との間にシーリング部材等が介在されていてもよい。一方、支持片１ｃの下端辺１ｄは、凸条部頂面１１ａ上において凸条部１１の延伸方向に沿うように配置される。
【００２７】
雪止め部材１は、ビスやネジ等の固定具５により、屋根材１０に固定することが可能であり、図１の実施形態では、固定具５が固定片１ｂの固定具孔１ｅに打入されて屋根材１０及び台座３の台部３ａ頂面を貫通して、屋根材１０に固定され、台座３と雪止め部材１とが連結した状態になっている。
【００２８】
上記のように雪止め部材１が設けられることで、雪止め本体１ａの面のうち、パネル頂面２０ａよりも上方に突出している部分の面によって、太陽電池パネル２０の上に積もった雪の滑落を防止できるようになる。しかも、雪止め部材１は、太陽電池パネル２０に固定しているわけではなく、太陽電池パネル２０が載置されている屋根材１０に固定されているので、雪止め部材１に積雪による荷重がかかったとしても、太陽電池パネル２０自体にかかる負荷を低減させることができる。そのため、太陽電池パネル２０の故障を防止し易くなり、また、長期間にわたって太陽電池パネル２０の設置状態を安定にすることができる。
【００２９】
さらに、雪止め部材１は、屋根材１０を介在させて屋根下地３０に固定されている台座３と連結されているので、このような連結によって雪止め部材１の取り付け状態が、より安定になる。従って、積雪による大きな荷重が雪止め部材１にかかったとしても充分に耐え得るものとなり、長期にわたって雪止め構造が安定する。また、本実施の形態のように、雪止め部材１に支持片１ｃが設けられている場合は、支持片１ｃで雪止め本体１ａが支えられるので、雪止め部材１が屋根材１０上により安定に固定されるようになる。特に、雪止め部材１において、固定部分である固定片１ｂから雪止め本体の頂部１ｆまでの距離が長い場合、積雪による圧力に対して曲げモーメントがより働きやすくなって、強度不足になることがあるが、支持片１ｃを有することでその強度不足を補うことができる。そのため、このような支持片１ｃによっても積雪の負荷を支持することができるようになるので、上記効果をさらに高めることができる。
【００３０】
雪止め部材１の固定片１ｂに打入されている固定具５は、その先端が屋根下地３０にまで達していないことが好ましく、この場合、防水性をより高くすることができる。固定具５の先端が屋根下地３０に達して屋根下地３０に打ち込まれてしまうと、雨水等が固定具５をつたって、屋根下地３０の内部や内側に浸入してしまうおそれがあるが、上記構成のようにすることで、雨水の浸入を防止できるからである。
【００３１】
雪止め部材頂部１ｆの突出高さＨは、積雪の滑落を防止でき、太陽電池パネル２０面にできた影による発電効率の影響を最小限に留めるように設計されればよい。そのため、突出高さＨは特に制限されるものではないが、例えば２０〜５０ｍｍであれば、太陽電池パネル２０上の積雪の滑落が充分に防止されるものとなる。尚、上記の突出高さＨとは、図１（ｂ）に示すように、屋根下地３０表面から雪止め部材頂部１ｆまでの高さと、屋根下地３０表面からパネル頂面２０ａまでの高さとの差のことを示す。
【００３２】
図１の実施の形態では、雪止め部材１は、パネル軒先端部２１に沿って１箇所だけ設けられたものであるが、これに限られず、パネル軒先端部２１に沿って所定の間隔をおいて複数も設けられていてもよいし、間隔をおかずに互いに隣接させながら設けられていてもよい。あるいは、既述の長尺状の雪止め部材１を使用して、パネル軒先端部２１の略全長にわたって設けられていてもよい。この場合、雪止めの効果をさらに高くすることができる。
【００３３】
図３や図１（ａ）に示すように、雪止め部材１はパネル軒先端部２１のみならず、太陽電池パネル２０を構成するパネルユニット２、２間に介在するように雪止め部材１が設けられていてもよい。尚、図３は、図１（ａ）におけるａ−ａ断面図を示すものであって、軒棟方向で隣接するパネルユニット２、２間に介在して設けられている雪止め部材１付近の拡大図である。
【００３４】
本形態では、雪止め部材１の支持片１ｃが、軒棟方向と直交する方向で隣接するパネルユニット２、２間に介在され、かつ、軒棟方向で隣接するパネルユニット２、２間に雪止め本体１ａが介在されて、雪止め部材１が配置されている。パネルユニット２、２間に支持片１ｃが介在されることで、雪止め本体１ａを設けることによる太陽電池パネル２０設置数の減少等の弊害を抑制することができる。尚、雪止め部材１の配置や固定等、その他の構成については、既述の雪止め部材１と同様であるので説明は省略する。
【００３５】
上記のように、雪止め部材１が軒棟方向で隣接するパネルユニット２、２間にも設けられることで、雪止めの効果をさらに高めることができるものとなる。もちろん、軒棟方向で隣接するパネルユニット２、２間の略全長にわたって所定の間隔をおきながら（又は間隔をおかずに互いに隣接させながら）雪止め部材１を設けることも可能である。この場合は、雪止め部材１として、支持片１ｃを有さない雪止め部材１を使用するようにすればよい。すなわち、４つのパネルユニット２が隣接して形成されるクロス目地部には、支持片１ｃを有する雪止め部材１を、２つのパネルユニット２が隣接して形成される直線目地部には、支持片１ｃを有さない雪止め部材１を使用するようにすればよい。
【００３６】
ここで、本発明の太陽電池パネルの雪止め構造を有する屋根の他の構成について説明する。
【００３７】
図４は、屋根の軒棟方向に沿った切断面を示すものであって、パネルユニット２、２間の接続部分付近を拡大して示したものである。この形態のように、太陽電池パネル２０を設置するにあたって、支持部材２５を使用して、太陽電池パネル２０を台座３に連結することもできる。
【００３８】
支持部材２５は、略平板状のパネル接続部２５ｃを有する共に、パネル接続部２５ｃの下端で略直角に屈曲される略平板上の固着部２５ｂを有して略Ｌ字状に形成されている。一方、パネル接続部２５ｃの上端は、一対の係合片２５ａ、２５ａが左右対称に断面略ｍ字状で形成されている。パネル接続部２５ｃは、パネルユニット２、２間に配置され、固着部２５ｂは屋根材１０上（凸条部１１）に配置されて固定される。また、係合片２５ａは、パネルユニット２の枠体に形成されている係合片２５ａと係合可能な被係合片２ａに引っ掛け係合され、隣接するパネルユニット２、２どうしを接続可能にしている。尚、支持部材２５がピース状であれば、隣接するパネルユニット間に複数個設けることができる。支持部材２５は長尺状に形成されていてもよい。上記支持部材２５は一例として示したものであって、もちろん、その他の形状のものでもよく、太陽電池パネル２と屋根材１０とを接続可能にする構成で形成されたものであれば、特に形状は限定されない。
【００３９】
固着部２５ｂには、ネジ、ビス等の固定具５が打入されており、この固定具５は、固着部２５ｂ、屋根材１０の凸条部１１、及び台座３の台部３ａ頂面を貫通している。このように固定具５が設けられることで、太陽電池パネル２０は台座３に連結されつつ、屋根材１０に固定される。
【００４０】
支持部材２５は、軒棟方向で隣接するパネルユニット２、２の間であって、雪止め部材１が設けられていない箇所に設けることができる。また、上記パネルユニット２、２間において、雪止め部材１と支持部材２５とが並設するように設けてもよい。
【００４１】
上記のような台座３を用いた連結構造とすると、太陽電池パネル２０と、屋根下地３０とを直接連結する場合に比べて連結部間の距離を短くすることができる。このため、太陽電池パネル２０が風力や地震等の外力で振動したとしても、連結部間の距離が長い場合に比べて連結部分での振動が増幅されにくいものとなり、結果として、太陽電池パネル２０の位置ずれが生じにくいものとなり、設置状態が安定するものとなる。さらに、台座３は屋根下地３０に強固に固着されているので、太陽電池パネル２０に大きな振動を与えにくい。また、太陽電池パネル２０を屋根材１０に設置するにあたって、固定具５はすぐ下の台座３に向けて打入すればよいので、固定具５の斜め挿入されるおそれが小さくなる。そのため、太陽電池パネル２０がより強固に固定されるものとなるし、また、連結も容易に行えるので施工性にも優れるものとなる。
【００４２】
さらに、屋根材１０の下側に台座３が設けられていることで、太陽電池パネル２０のような重量の大きいものを載置させても、屋根材１０の撓みやひずみが生じにくいため、上記外力が加わったとしても、太陽電池パネル２０への振動が抑制される。
【００４３】
また、固定具５は雪止め部材１の場合と同様、屋根下地３０に挿入されていない状態にすることが好ましく、この場合もやはり防水性が向上する。
【００４４】
図５は、屋根の軒先構造における実施の形態の一例を示しており、この形態のように軒先には防水施工がなされていてもよい。図５は、屋根の軒先方向に沿った断面であり、雪止め部材１を通る切断面を示すものであって、屋根の軒先付近の拡大図である。本形態のように、軒先には公知の軒先カバー部材５１を取り付けるようにしてもよい。この軒先カバー部材５１は、屋根材１０上に固定されているカバー支持片５３にビス等で連結固定され、また、軒先カバー部材５１の一端の屈曲片５１ａは雪止め本体１ａの面に当接して設けられている。カバー支持片５３は、ビス等により屋根材１０を介して台座３とも連結されたものであってもよい。また、屋根下地３０の軒先には、公知の水切り材５２が設けられていてもよい。水切り材５２は、屋根下地３０と、台座３の支持部３ｂとの間に介入されていてもよい。尚、その他の構成については、図１の実施形態で説明した構成と同様である。
【００４５】
本発明の太陽電池パネルの雪止め構造を有する屋根を施工するには、例えば、次のような方法で行うことができる。
【００４６】
図６（ａ）は、台座３を屋根下地３０に取り付け固定する様子を説明する概略図である。まず、軒棟方向に直交する方向に所定の間隔をおいて台座３を配置固定させ、さらに、各々の台座３から軒棟方向に所定の間隔をおいて台座３を順次配置固定して、屋根下地３０において格子状に台座３が配列するように施工する。台座３を固定させる位置は、設置する太陽電池パネル２０の大きさ等を考慮し、太陽電池パネル２０を設置した際にその下方に台座３が位置するように、あらかじめ位置決めをしておけばよい。また、台座３の固定に際しては、図６（ａ）に示すように、一対の支持部３ｂにネジ等の固定部材６を打入するようにすればよい。尚、必要に応じて水切り材５２も取り付けることができる。
【００４７】
次いで、図６（ｂ）に示すように、凸条部１１で台座３を覆うように屋根材１０を敷設させる。屋根材１０の敷設にあたっては、まず、屋根材１０を上記のように所定位置に敷設させた後、別の屋根材１０を用意して、この屋根材１０の凸条部１１と、上記の既設の屋根材１０の側端の凸条部１１とが互いに上下で重なり合うように、前記別の屋根材１０を敷設させる。尚、図６（ｂ）では、一方の屋根材１０の最も側端にある凸条部１１と、他方の屋根材１０の最も側端にある凸条部１１とが互いに重ね合わされているが、これに限られるものではない。すなわち、屋根材１０の重ね合わせの寸法を調整して、一方の屋根材１０の複数の凸条部１１が、それぞれ他方の屋根材１０の複数の凸条部１１に重なるように敷設させてもよい。また、互いの屋根材１０どうしの重ね合わせを容易にするために、下側の屋根材１０の凸条部１１の幅長さが上側の屋根材１０の凸条部１１の幅長さよりも短く形成されていてもよい。
【００４８】
また、図６（ａ）に示す台座３は、その台部３ａの頂面に突起部３ｃが形成されているため、上記のように屋根材１０を敷設させた後、屋根材１０を屋根下地３０側に押さえ付けると、凸条部１１に、突起部３ｃの形状が転写される。そして、この突起部３ｃの転写模様を目印にして、屋根材１０の下側の台座３の設置位置を視認することが可能になるので、この後に設置する太陽電池パネル２０や雪止め部材１の配置する箇所の位置決めが容易になる。
【００４９】
上記のように屋根材１０を敷設した後、雪止め部材１を屋根材１０上に取り付け固定する。雪止め部材１は、太陽電池パネル２０（パネルユニット２）の設置位置や大きさ等を考慮して所定の位置に取り付ければよく、また、上述のように、台座３の突起部３ｃの転写模様を目印にすればよい。雪止め部材１の取り付けにあっては、固定具孔１ｅに固定具５を打入すると共に屋根材１０及び台座３の台部３ａ頂面を貫通して、台座３と雪止め部材１とを連結しつつ固定させる。雪止め部材１をパネル軒先端部２１のみならず、パネルユニット２、２間の上記クロス目地部（又は直線目地部）にも設ける場合、軒先側のパネルユニット２を設置するのと並行して、雪止め部材１を取り付けるようにすればよい。
【００５０】
また、上述の図４の形態のように、太陽電池パネル２０を、支持部材２５を用いて固定させる場合は、次のようにして施工することができる。
【００５１】
まず、パネルユニット２の前端（パネル軒先端部２１）が配置される位置に、雪止め部材１及び支持部材２５を配置させて固定させる。支持部材２５の取り付けにあっては、固着部２５ｂに固定具５を打入して、凸条部１１及び台部３ａ頂面をこの順に貫通させる。雪止め部材１の取り付けは上記と同様である。次いで、パネルユニット２を所定位置に配置させるが、このとき、あらかじめ上記のように固定させておいた支持部材２５の係合片２５ａ（一方の係合片２５ａのみ）を、パネルユニット２の枠体に形成されている被係合片２ａに引っ掛け係合するようにする。
【００５２】
上記のようにパネルユニット２の一方の端部に支持部材２５を固定した後、このパネルユニット２の他方の端部（棟側端部）に別の雪止め部材１や支持部材２５を上記同様にして取り付ける。次いで、新たなパネルユニット２を別途用意し、これを既設のパネルユニット２の棟側に順次配置すると共に、支持部材２５の係合片２５ａと、被係合片２ａとを同様に引っ掛け係合させる。このような手順で軒側から棟側へパネルユニット２を設置していくことで、太陽電池パネル２０が屋根材１０に設置されると共に、太陽電池パネル２０と台座３とが連結される構造となる。
【００５３】
上記のように太陽電池パネル２０を設置した後、必要に応じて、軒先カバー部材５１や周囲水切り材等の防水部材、縦葺き屋根、横葺き屋根、屋根瓦等の周辺部材を設けて屋根を形成させればよい。
【符号の説明】
【００５４】
１    雪止め部材
３    台座
５    固定具
１０  屋根材
１１  凸条部
１２  平板部
２０  太陽電池パネル
２０ａ  パネル頂面
３０  屋根下地
【図１】
2014047461.tif 000003
【図２】
2014047461.tif 000004
【図３】
2014047461.tif 000005
【図４】
2014047461.tif 000006
【図５】
2014047461.tif 000007
【図６】
2014047461.tif 000008